(57)【特許請求の範囲】
【請求項１】
用紙類に添接させるためのシート本体と、シート本体の縁に開口部を位置させて該シート本体に設けられたポケットと、このポケット内に収容される基部から見出し部を外方に延出させてなるインデックスとを備えてなり、前記インデックスを、前記見出し部が前記開口部を通してシート本体の縁よりも外に突出する突出位置と、前記見出し部が前記基部とともにポケット内に収容される没入位置との間でスライドし得るように構成したシートであって、前記インデックスが、凸片を形成するスリットを有したものであり、前記凸片をインデックスの弾性変形を利用して前記ポケットの開口部における開口縁に係わり合わせることによって、このインデックスを前記突出位置に没入不能に保持するようにしたことを特徴とするインデックスを有したシート。
【請求項２】
前記ポケットが、シート本体の縁に一体に設けたポケット用延出片を前記縁に沿った折曲線部を介して折り返し、その折り返した前記ポケット用延出片の周縁を前記シート本体に止着してなるものであり、前記折曲線部が、前記シート本体とポケット用延出片とを一体に繋ぐ連続部分と、前記開口部を形成する切り離し部分とを備えている請求項１記載のインデックスを有したシート。
【請求項３】
前記折曲線部が、対をなす連続部分と、これら連続部分間に位置する切り離し部分とからなるものであり、前記インデックスが、両端部を前記両連続部分に当接させ得る幅寸法を有した基部と、前記切り離し部分に形成された開口部に対応する幅寸法を有した見出し部とを具備したものである請求項２記載のインデックスを有したシート。
【請求項４】
前記ポケット用延出片が、前記インデックスを突出位置と没入位置との間でスライドさせるための操作用の窓を有したものである請求項２または３記載のインデックスを有したシート。
【請求項５】
前記ポケットが、前記インデックスを前記突出位置へと引っ張り出した際にその基部が当接または近接してそれ以上のインデックスのスライド移動を阻む構造を備えており、
前記凸片を前記ポケットの開口部における開口縁に係わり合わせた状態で、前記インデックスの基部が前記構造に当接または近接している請求項１記載のインデックスを有したシート。
【請求項６】
前記ポケットが、前記シート本体とは別体のポケット用部材をシート本体に止着してなるものであり、前記インデックスのスライド移動方向に対して略平行に拡がる止着部分と、その止着部分に対して交差する方向に拡がる止着部分とを有し、
後者の止着部分が、前記インデックスを前記突出位置へと引っ張り出した際にその基部が当接または近接してそれ以上のインデックスのスライド移動を阻む構造として機能する請求項１または５記載のインデックスを有したシート。
【請求項７】
前記ポケットが、前記シート本体とは別体のポケット用部材をシート本体に止着してなるものであり、
前記ポケットの開口縁となる前記ポケット用部材の縁と前記シート本体の縁とのうち、前記インデックスの凸片が係わり合わない方の縁を、内方に凹むように切り欠いている請求項１または５記載のインデックスを有したシート。
【請求項８】
前記ポケットが、前記シート本体とは別体のポケット用部材をシート本体に止着してなる、または、シート本体の縁に一体に設けたポケット用延出片を前記縁に沿った折曲線部を介して折り返し、その折り返した前記ポケット用延出片の周縁を前記シート本体に止着してなるものであり、
前記ポケット用部材または前記ポケット用延出片と、これに添うシート本体の部位との双方に、少なくとも一部が重なり合い前記ポケットの内部を外部に連通させる、前記インデックスを突出位置と没入位置との間でスライドさせるための操作用の切り抜き部分を設けている請求項１または５記載のインデックスを有したシート。
【請求項９】
前記凸片の先端縁が、中央部分が他の部分よりも突出した形状をなしている請求項１、２、３、４、５、６、７または８記載のインデックスを有したシート。
【請求項１０】
透明な表紙間に用紙類を収容するためのクリアホルダであって、前記表紙の一方を請求項１、２、３、４、５、６、７、８または９記載のインデックスを有したシートにより構成しているクリアホルダ。
【発明の詳細な説明】
【技術分野】
【０００１】
本発明は、インデックスを有したシート及びこのシートにより構成しているクリアホルダに関する。
【背景技術】
【０００２】
従来、この種のシートとして、用紙類に添接させるためのシート本体と、シート本体の縁に開口部を位置させて該シート本体に設けられたポケットと、このポケット内に常時収容される基部から見出し部を外方に延出させてなるインデックスとを備えてなり、前記インデックスを、前記見出し部が前記開口部を通してシート本体の縁よりも外に突出する突出位置と、前記見出し部が前記基部とともにポケット内に収容される没入位置との間でスライドし得るように構成したものが知られている（例えば、特許文献１を参照）。
【０００３】
このシートは、前記インデックスの基部と見出し部との境界における両側端に凹部を設けておき、その凹部をポケットの開口部の両端に部材の弾性変形を利用して係わり合わせることにより前記インデックスを突出位置に保持しておくことができるようになっている。
【０００４】
ところが、このような構成のものでは、前記凹部と開口部の両端との係合状態を係脱のしやすさを優先して緩めに設定すると、使用中に係合状態が解除されて前記インデックスが没入してしまいやすくなり、一方、インデックスの保持状態を優先して前記係合状態をきつめに設定すると、前記開口部の両端が裂けやすくなるというジレンマがある。
【先行技術文献】
【特許文献】
【０００５】
【特許文献１】特表２０１１−５０９８５２号公報
【発明の概要】
【発明が解決しようとする課題】
【０００６】
本発明は、以上のような事情に鑑みてなされたもので、インデックスを無理なく確実に突出位置に保持することができるシート、及びこのシートを備えたクリアファイルを提供することを目的としている。
【課題を解決するための手段】
【０００７】
本発明は、以上のような課題を解決するために、次のような構成を採用したものである。すなわち、本発明にかかるシートは、用紙類に添接させるためのシート本体と、シート本体の縁に開口部を位置させて該シート本体に設けられたポケットと、このポケット内に収容される基部から見出し部を外方に延出させてなるインデックスとを備えてなり、前記インデックスを、前記見出し部が前記開口部を通してシート本体の縁よりも外に突出する突出位置と、前記見出し部が前記基部とともにポケット内に収容される没入位置との間でスライドし得るように構成したものであって、前記インデックスが、凸片を形成するスリットを有したものであり、前記凸片をインデックスの弾性変形を利用して前記ポケットの開口部における開口縁に係わり合わせることによって、このインデックスを前記突出位置に没入不能に保持するようにしたことを特徴とする。
【０００８】
ここで、「用紙類」は、シートに添接されるものであれば、どのようなものであってもよく、紙製のものの他、プラスチック製、金属製、または木製のものも含まれる。また、薄いシート状のものに限られない。また、この明細書において「添接」とは、添うように接触したり、接するように添った状態を示す。
【０００９】
また、「シート」は、用紙類に添接されるものであればどのようなものであってもよく、例えば、ファイルに綴じられた用紙類を区分するための仕切り板、用紙類を保持するためのクリアフォルダの表紙や個別フォルダの表紙等が含まれる。
【００１０】
このようなものであれば、比較的簡単な構造で、インデックスを無理なく確実に突出位置に保持することができる。
【００１１】
前記ポケットが、シート本体の縁に一体に設けたポケット用延出片を前記縁に沿った折曲線部を介して折り返し、その折り返した前記ポケット用延出片の周縁を前記シート本体に止着してなるものであり、前記折曲線部が、前記シート本体とポケット用延出片とを一体に繋ぐ連続部分と、前記開口部を形成する切り離し部分とを備えているものが、好適な一例として挙げられる。
【００１２】
前記折曲線部が、対をなす連続部分と、これら連続部分間に位置する切り離し部分とからなるものであり、前記インデックスが、両端部を前記両連続部分に当接させ得る幅寸法を有した基部と、前記切り離し部分に形成された開口部に対応する幅寸法を有した見出し部とを具備したものが好ましい。
【００１３】
前記ポケット用延出片の具体的な一態様としては、前記インデックスを突出位置と没入位置との間でスライドさせるための操作用の窓を有したものが挙げられる。
【００１４】
前記ポケットが、前記インデックスを前記突出位置へと引っ張り出した際にその基部が当接または近接してそれ以上のインデックスのスライド移動を阻む構造を備えており、前記凸片を前記ポケットの開口部における開口縁に係わり合わせた状態で、前記インデックスの基部が前記構造に当接または近接しているものとすれば、インデックスの突出位置への保定をより確実ならしめることができる。すなわち、凸片をポケットの開口縁に係わり合わせた状態で、インデックスが突出位置からさらに外方に変位すると凸片が開口縁から脱離するところ、突出位置にあるインデックスがそれ以上外方に変位し難いため、インデックスに外力が作用して凸片が開口縁から離脱するおそれが低減し、突出位置に引き出したインデックスの不意の没入をより確実に抑止することが可能となる。
【００１５】
前記ポケットが、前記シート本体とは別体のポケット用部材をシート本体に止着してなるものであり、前記インデックスのスライド移動方向に対して略平行に拡がる止着部分と、その止着部分に対して交差する方向に拡がる止着部分とを有し、後者の止着部分が、前記インデックスを前記突出位置へと引っ張り出した際にその基部が当接または近接してそれ以上のインデックスのスライド移動を阻む構造として機能するものとすれば、突出位置に引き出したインデックスの基部とポケットの内面との摩擦（ポケットによるインデックスの基部の挟圧）を強めて、突出位置にあるインデックスのがたつきを抑制することが可能となる。その上、凸片をポケットの開口縁に係わり合わせれば、インデックスを突出位置に強固に保定することができる。
【００１６】
前記ポケットが、前記シート本体とは別体のポケット用部材をシート本体に止着してなるものであり、前記ポケットの開口縁となる前記ポケット用部材の縁と前記シート本体の縁とのうち、前記インデックスの凸片が係わり合わない方の縁を、内方に凹むように切り欠いてあるならば、その切り欠きからインデックスの表面が大きく露出することとなり、指でインデックスに直接触れてこれを突出位置に向けて引っ張り出したり、あるいは逆に没入位置に向けて押し込んだりする操作が容易となる。
【００１７】
前記ポケットが、前記シート本体とは別体のポケット用部材をシート本体に止着してなる、または、シート本体の縁に一体に設けたポケット用延出片を前記縁に沿った折曲線部を介して折り返し、その折り返した前記ポケット用延出片の周縁を前記シート本体に止着してなるものであり、前記ポケット用部材または前記ポケット用延出片と、これに添うシート本体の部位との双方に、少なくとも一部が重なり合い前記ポケットの内部を外部に連通させる、前記インデックスを突出位置と没入位置との間でスライドさせるための操作用の切り抜き部分を設けているならば、シート本体側、ポケット用部材またはポケット用延出片側の両方から切り抜き部分に指を差し入れ、二本の指で（例えば、親指と人差し指とで）インデックスを摘んでスライド移動させる操作を行い得るようになる。
【００１８】
前記凸片の先端縁は、中央部分が他の部分よりも突出した形状をなしていれば、前記開口縁に容易に係り合わせることができる。
【００１９】
以上のようなインデックスを有したシートを備えたクリアホルダとしては、透明な表紙間に用紙類を収容するためのものであって、前記表紙の一方を請求項１、２、３、４、５、６、７、８または９記載のインデックスを有したシートにより構成しているものが挙げられる。
【発明の効果】
【００２０】
本発明は、以上のような構成であるから、インデックスを無理なく確実に突出位置に保持することができるシート、及びこのシートを備えたクリアファイルを提供することができる。
【図面の簡単な説明】
【００２１】
【図１】本発明の一実施形態のクリアホルダを示す正面図。
【図２】同実施形態のクリアホルダの一部を拡大して示す作用説明図。
【図３】同実施形態のクリアホルダの一部を拡大して示す作用説明図。
【図４】同実施形態のクリアホルダの一部を拡大して示す作用説明図。
【図５】図１におけるＸ−Ｘ線断面図。
【図６】図３におけるＹ−Ｙ線断面図。
【図７】同実施形態のクリアホルダの中間加工品を示す展開図。
【図８】本発明の一実施形態のクリアホルダ及び他の実施形態のクリアホルダを重ねた状態で示す正面図。
【図９】本発明の一実施形態のクリアホルダを示す正面図。
【図１０】同実施形態のクリアホルダの一部を拡大して示す作用説明図。
【図１１】同実施形態のクリアホルダの一部を拡大して示す作用説明図。
【図１２】同実施形態のクリアホルダの一部を拡大して示す作用説明図。
【図１３】図１１におけるＡ−Ａ線断面図。
【図１４】図１１におけるＢ−Ｂ線断面図。
【図１５】図１２におけるＣ−Ｃ線断面図。
【図１６】本発明の変形例のクリアホルダの一部を拡大して示す作用説明図。
【発明を実施するための形態】
【００２２】
＜第一実施形態＞本発明の一実施形態を、図１ないし図７を参照して説明する。
【００２３】
この実施形態は、本発明にかかるシート２をクリアホルダ１に適用した場合のものである。
【００２４】
クリアホルダ１は、透明な合成樹脂、例えば、ポリプロピレン製のものであり、透明な第一の表紙１１と、透明な第二の表紙１２との間に用紙類を収容するためのものである。前記第一の表紙１１と第二の表紙１２とは、底辺１３、１５及び一側辺１４、１６において連続している。具体的には、前記第一の表紙１１と第二の表紙１２とは、底辺１３、１５において溶着されているとともに、一側辺１４、１６において一体に連続している。なお、図１では、前記溶着部分にパターンを付して示しており、図７では、第一の表紙１１と第二の表紙１２とが、底辺１３、１５において溶着される前の中間加工品を示している。前記第二の表紙１２は、本発明にかかるシート２により構成されている。
【００２５】
シート２は、用紙類に添接させるためのシート本体３と、シート本体３の縁３１に開口部４１を位置させて該シート本体３に設けられたポケット４と、このポケット４内に常時収容される基部６から見出し部７を外方に延出させてなるインデックス５とを備えてなる。
【００２６】
シート本体３は、透明な合成樹脂、例えば、ポリプロピレン製のものであり、綴じるべき用紙の大きさ、例えばＡ４サイズの用紙に対応する矩形状をなしているもので、このシート本体３の開放されている側の縁３１に、開口部４１を位置させてポケット４が設けられている。
【００２７】
ポケット４は、シート本体３の縁３１に一体に設けたポケット用延出片４２を前記縁３１に沿った折曲線部４３を介して折り返し、その折り返した前記ポケット用延出片４２の周縁４５を前記シート本体３に溶着してなるものである。なお、図２ないし図４では、前記溶着部分にパターンを付して示している。ポケット用延出片４２は、前記インデックス５を突出位置（Ｕ）と没入位置（Ｃ）との間でスライドさせるための操作用の窓４６を有している。折曲線部４３は、前記シート本体３とポケット用延出片４２とを一体に繋ぐ連続部分４７と、前記開口部４１を形成する切り離し部分４８とを備えている。具体的には、折曲線部４３は、対をなす連続部分４７と、これら連続部分４７間に位置する切り離し部分４８とからなるものである。
【００２８】
インデックス５は、両端部を前記両連続部分４７に当接させ得る幅寸法を有した基部６と、前記切り離し部分４８に形成された開口部４１に対応する幅寸法を有した見出し部７とを具備したものである。このインデックス５は、前記見出し部７が前記開口部４１を通してシート本体３の縁３１よりも外に突出する突出位置（Ｕ）と、前記見出し部７が前記基部６とともにポケット４内に収容される没入位置（Ｃ）との間でスライドし得るように構成したものである。インデックス５は、凸片９を形成するスリット８を有したものであり、前記凸片９をインデックス５の弾性変形を利用して前記ポケット４の開口部４１における開口縁４４に係わり合わせることによって、このインデックス５を前記突出位置（Ｕ）に没入不能に保持するようにしている。詳述すれば、前記見出し部７は、書き込み可能なシルク印刷を施した見出し部本体７１と、この見出し部本体７１を前記基部６に連続させる接続部分７２とを備えたもので、その接続部分７２に前記スリット８を設けることにより前記凸片９が形成されている。なお、図１ないし図４では、見出し部本体７１にパターンを付して示している。スリット８は、中央が基部６側に突出した屈曲部分８１と、この屈曲部分８１の両端から見出し部本体７１と接続部分７２との境界線まで延びる延出部分８２とからなるもので、前記凸片９は、その先端縁９１の中央部分９２が、他の部分９３よりも突出した形状をなしている。
【００２９】
このような構成のものであれば、インデックス５を使用しない場合には、図２に示すように、このインデックス５を没入位置（Ｃ）に移動させ、ポケット４内に収容しておけばよい。この状態からインデックス５を使用する場合には、図３及び図６に示すように、ポケット４の窓４６を利用してインデックス５を指で突出位置（Ｕ）方向へスライド移動させる。しかる後、図６に二点鎖線で示すように、インデックス５を厚み方向に弾性変形させて、凸片９を切り起こし状態にし、図４及び図５に示すように、その凸片９をポケット４の開口部４１における開口縁４４に係わり合わせる。それによって、インデックス５は、突出位置（Ｕ）に保持される。
【００３０】
以上に述べたように、本実施形態にかかるインデックス５を有したシート２は、用紙類に添接させるためのシート本体３と、シート本体３の縁３１に開口部４１を位置させて該シート本体３に設けられたポケット４と、このポケット４内に収容される基部６から見出し部７を外方に延出させてなるインデックス５とを備えてなり、前記インデックス５を、前記見出し部７が前記開口部４１を通してシート本体３の縁３１よりも外に突出する突出位置（Ｕ）と、前記見出し部７が前記基部６とともにポケット４内に収容される没入位置（Ｃ）との間でスライドし得るように構成したものであって、前記インデックス５が、凸片９を形成するスリット８を有したものであり、前記凸片９をインデックス５の弾性変形を利用して前記ポケット４の開口部４１における開口縁４４に係わり合わせることによって、このインデックス５を前記突出位置（Ｕ）に没入不能に保持するようにしたものであるので、比較的簡単な構造で、インデックス５を無理なく確実に突出位置（Ｕ）に保持することができる。そして、インデックス５の厚み方向の弾性変形を利用してポケット４の開口縁４４に係脱し得るようにしているので、従来のようなジレンマ、すなわち、前記凹部と開口部の両端との係合状態を緩めに設定すると使用中に係合状態が解除されて前記インデックスが没入してしまいやすくなり、一方、前記係合状態をきつめに設定すると前記開口部の両端が裂けやすくなるというジレンマを解消することができる。特に、本実施形態では、インデックス５をポリプロピレン製のシート状のものとしているので、厚み方向に弾性変形しやすく、繰り返しの使用にも耐え得る。
【００３１】
また、前記ポケット４が、シート本体３の縁３１に一体に設けたポケット用延出片４２を前記縁３１に沿った折曲線部４３を介して折り返し、その折り返した前記ポケット用延出片４２の周縁４５を前記シート本体３に止着してなるものであるので、図７に示すように、一枚のプラスチック板を打ち抜いてシート本体３、ポケット用延出片４２、及び開口部４１を形成することができる。さらに、前記折曲線部４３が、前記シート本体３とポケット用延出片４２とを一体に繋ぐ連続部分４７と、前記開口部４１を形成する切り離し部分４８とを備えており、前記インデックス５を突出位置（Ｕ）へと引っ張り出した際に、該インデックス５の基部６が当たる部分が、溶着ではなく折曲げにより一体に成形されているので、前記連続部分４７に強度を持たせることができる。換言すれば、前記インデックス５の基部６が当接することにより、開口部４１の両端が裂けやすくなるという不具合を抑制することができる。
【００３２】
前記折曲線部４３が、対をなす連続部分４７と、これら連続部分４７間に位置する切り離し部分４８とからなるものであり、前記インデックス５が、両端部を前記両連続部分４７に当接させ得る幅寸法を有した基部６と、前記切り離し部分４８に形成された開口部４１に対応する幅寸法を有した見出し部７とを具備したものであるので、インデックス５の両端側で、インデックス５の基部６と折曲線部４３の連続部分４７とを当接させることができる。したがって、ポケット４内でのインデックス５のぐらつきを抑制することができる。
【００３３】
前記ポケット用延出片４２が、前記インデックス５を突出位置（Ｕ）と没入位置（Ｃ）との間でスライドさせるための操作用の窓４６を有したものであるので、ポケット４内に収容された没入位置（Ｃ）にあるインデックス５に直接触れながら、突出位置（Ｕ）方向へと移動させることができる。特に、前記窓４６は、インデックス５のスライド方向に長尺な楕円形状をなしているので、この窓４６内に指等を入れて左右方向に操作しやすい。また、突出位置（Ｕ）から完全な没入位置（Ｃ）方向へ動かしたい場合にも、この窓４６を利用してインデックス５に直接触れながら、没入位置（Ｃ）方向へと移動させることができる。なお、インデックス５は、没入位置（Ｃ）において、前記シート本体３の縁３１及びポケット４の開口縁４４よりも内側に収容される。したがって、インデックス５を使用しない没入位置（Ｃ）に設定した場合には、インデックス５を有しない通常のクリアホルダ１と同様に使用することができる。
【００３４】
前記凸片９の先端縁９１は、中央部分９２が他の部分９３よりも突出した形状をなしているので、直線状をなす前記ポケット４の開口縁４４に容易に係り合わせることができる。特に、この凸片９を形成するスリット８の両端が、見出し部本体７１と接続部分７２との境界線まで延びているので、スリット８の両端とポケット４の開口縁４４とが一致するようにこれらを係わり合わせることによって、見出し部本体７１だけをシート本体３の外部に表出させることができる。なお、この見出し部本体７１にシール等を貼れば、前記スリット８の両端から裂けてスリット８が大きくなってしまうという不具合を抑制することができる。
【００３５】
本実施形態のクリアホルダ１は、透明な表紙１１、１２間に用紙類を収容するためのものであって、第二の表紙１２を前記インデックス５を有したシート２により構成しているので、クリアホルダ１内に挟まれた用紙類についてインデックス５を付けることができる。特に、本実施形態では、ポケット４がクリアホルダ１の側縁上方に設けられているので、インデックス５が見やすく、また、スライド操作しやすいものとなっている。
【００３６】
なお、本発明は以上に述べた実施形態に限られない。
【００３７】
シート本体に対するポケットの位置は、上述したものに限られず、図８に示すようなものであってもよい。図８は、複数の見出し部７、Ａ７、Ｂ７、Ｃ７が相互に重ならない位置に配置された４枚のクリアホルダを厚み方向に重ねた状態を示している。すなわち、本実施形態に示したように、インデックス５及びこのインデックス５を収容しておくためのポケット４がクリアホルダ１の側縁上方に設けられているものに限られず、インデックスＡ５、Ｂ５及びこれら各インデックスＡ５、Ｂ５に対応して設けられる図示しないポケットがクリアホルダの中間部に設けられているものや、インデックスＣ５及びこのインデックスＣ５に対応して設けられる図示しないポケットがクリアホルダの側縁下方に設けられているものであってもよい。なお、ここで「上方」、「下方」とは、シートの長尺方向を上下として便宜的に説明したものであり、シート及びクリアホルダを横向きに使用してよいのはもちろんである。
【００３８】
さらに、ポケットやインデックスの数及び形状は、上述したものには限られない。例えば、一枚のシートが、複数の開口部を有する単一のポケットと、各開口部に突没可能な単一または複数のインデックスとを備えたものや、一枚のシートが、開口部を有する複数のポケットと、これらの各ポケットに対応する複数のインデックスを備えたもの等が考えられる。シートが、複数の開口部を有する一つのポケットと、各開口部に突没可能な一のインデックスとを備えたものである場合の具体的な一例としては、前記ポケットが、インデックスをシート本体の縁に沿った方向に移動可能に構成されたものであり、前記インデックスを上下方向にスライド移動させて前記複数の開口部のうち一の開口部を選択するとともに、該インデックスを左右方向にスライド移動させてシート本体の縁から突没させればよい。このようなものであれば、突出位置に保持させるインデックスを任意に選択することができる。
【００３９】
また、上述した実施形態では、インデックスを突出位置方向にスライドさせてスリット全体が開口縁の外部に表出した後、弾性変形させるようにしていたが、インデックスを突出位置方向にスライドさせて、基部が折曲線部に当たる際に、凸片の基端部がシートの縁に一致する（この場合において、ポケットの折曲線部の連続部分は、突出位置へと引っ張り出したインデックスの基部に当接または近接してインデックスのそれ以上の外方へのスライド移動を阻む構造、いわばストッパとなる）ようにしてもよい。すなわち、スリット及びこのスリットにより形成される凸片が、インデックスの見出し部のみに形成されているものに限られず、少なくともその一部がインデックスの基部に形成されているものであってもよい。
【００４０】
さらに、本実施形態では、シートを備えた一例としてクリアホルダについて説明したが、これに限られず、ファイルに綴じられた用紙類を区分するための仕切り板や、用紙類を保持するための個別フォルダの表紙やハンギングフォルダの表紙等であってもよい。
【００４１】
上述した実施形態では、インデックスの凸片をポケット用延出片の縁に係わり合わせるようにしていたが、もう一方のポケットの開口縁、すなわち、シート本体の縁に係わり合わせるようにしてもよい。
【００４２】
ポケットは、ポケット用延出片を折り曲げして形成するものに限られず、例えば、別体のポケット用部材を溶着等により取り付けるようにしてもよいが、上述した実施形態のようなものであれば、ポケットの一縁を一体に成形することができるので、容易に作成できるとともに、この部分を溶着する場合に比べて強度を持たせることが可能となる。
【００４３】
また、ポケット用延出片の窓の大きさ、形状及び数は、図示したものに限られず種々変更可能であり、この窓はなくてもよい。
【００４４】
ポケット用延出片に窓を設けずに、あるいは、ポケット用延出片の窓とともに、シート本体におけるポケット用延出片に添う（ポケットの一部をなす）部位に窓を開設しても構わない。シート本体に開口するこの窓と、ポケット用延出片に開口する窓とが少なくとも一部において重なり合うならば、これらの窓をインデックスをスライドさせるための操作用の切り抜き部分として利用することが可能となる。すなわち、これらの窓はともにポケットの内部を外部に連通させるものであり、シート本体側及びポケット用延出片側の両方から窓に指を差し入れ、二本の指で（例えば、親指と人差し指とで）インデックスを摘んで、インデックスを突出位置と没入位置との間でスライド移動させる操作を可能にする。
【００４５】
スリット及びこのスリットにより形成される凸片の大きさ、形状及び数についても、図示したものに限られず種々変更可能である。例えば、前記スリットの屈曲部分がＶ字状をなしているものの代わりに、Ｕ字状をなしているものや、Ｗ字状をなしているもの等であってもよい。また、スリットが直線部分と、この直線部分の両端からそれぞれ延出する延出部分とからなる平面視コ字状をなしているもの等であってもよい。
【００４６】
その他、本発明の趣旨を損ねない範囲で種々に変更してよい。
【００４７】
＜第二実施形態＞本発明の他の実施形態を、図９ないし図１５を参照して説明する。本実施形態では、スリット８ｘ及びこのスリット８ｘにより形成される凸片９ｘの少なくとも一部がインデックス５ｘの基部６ｘに形成されており、インデックス５ｘを突出位置（Ｕ）までスライドさせたときに凸片９ｘの基端部がシート２ｘの縁３１ｘに一致し、この突出位置（Ｕ）までスライドさせたインデックス５ｘの凸片９ｘをシート本体３ｘの縁３１ｘ（ポケット４ｘのもう一方の開口縁４８ｘ）に係わり合わせるようにしている。並びに、ポケット４ｘを、シート本体３ｘとは別体のポケット用部材４２ｘを溶着によりシート本体３ｘに取り付けることで形成している。
【００４８】
この実施形態もまた、本発明にかかるシート２ｘをクリアホルダ１に適用したものである。
【００４９】
クリアホルダ１の基本的な構造は、第一実施形態と同様とすることができるので、説明を割愛する。図９では、第一の表紙１１の底辺１３と第二の表紙１２の底辺１５とを溶着する溶着部分をパターンを付して示している。前記第二の表紙１２は、本発明にかかるシート２ｘにより構成されている。
【００５０】
シート２ｘは、用紙類に添接させるためのシート本体３ｘと、シート本体３ｘの縁３１ｘに開口部４１ｘを位置させて該シート本体３ｘに設けられたポケット４ｘと、このポケット４ｘ内に常時収容される基部６ｘから見出し部７ｘを外方に延出させてなるインデックス５ｘとを備えてなる。
【００５１】
シート本体３ｘは、透明な合成樹脂、例えば、ポリプロピレン製のものであり、綴じるべき用紙の大きさ、例えばＡ４サイズの用紙に対応する矩形状をなしている。
【００５２】
ポケット４ｘは、シート本体３ｘとは別体をなすポケット用部材４２ｘを、シート本体３ｘの縁３１ｘに臨む箇所に溶着してなる。なお、図１０ないし図１２では、溶着部分にパターンを付して示している。ポケット用部材４２ｘは、例えば、シート本体３ｘと同様の、透明な合成樹脂性の薄膜または薄板状の部材である。本実施形態では、ポケット用部材４２ｘにおける、インデックス５ｘの幅方向（図１０ないし図１２中、上下方向）に沿って伸びる内側縁、及び、インデックス５ｘの幅方向に対向しておりインデックス５ｘのスライド方向（図１０ないし図１２中、左右方向）に沿って伸びる一対の端縁の略全域を溶着することで、シート２ｘの外側方に開口するポケット４ｘを形成している。これらの溶着した止着部分４３ｘ、４４ｘは、第一実施形態におけるポケット４の周縁４５に相当する。
【００５３】
さらに、ポケット用部材４２ｘにおける外側縁４５ｘの一部を、シート本体３ｘに溶着している。具体的には、インデックス５ｘの幅方向に対向する一対の端縁の外側端部から、シート本体３ｘの縁３１ｘに沿って、互いに相寄る方向に一定の範囲を溶着している。この溶着した止着部分４６ｘは、第一実施形態におけるポケット４の折曲線部４３の連続部分４７に相当する。そして、止着部分４６ｘは、突出位置（Ｕ）へと引っ張り出したインデックス５ｘの基部６ｘに当接または近接してインデックス５ｘのそれ以上の外方へのスライド移動を阻む構造、いわばストッパとなる。
【００５４】
ポケット用部材４２ｘの外側縁４５ｘは、ポケット４ｘの開口部４１ｘの一方の開口縁を形作る縁である。もっとも、第一実施形態と異なり、このポケット用部材４２ｘの外側縁４５ｘは、開口部４１ｘのもう一方の開口縁４８ｘとなるシート本体３ｘの縁３１ｘと重なるような直線状をなしてはいない。本実施形態では、前記止着部分４６ｘを除く中間領域について、ポケット用部材４２ｘの外側縁４５ｘを、没入位置（Ｃ）に向かう内方に凹むように切り欠いた湾曲形状に成形している（すなわち、切り欠き４７ｘ）。
【００５５】
他方、ポケット用部材４２ｘに添う（ポケット４ｘの一部をなす）シート本体３ｘの部位には、窓３２ｘを開設している。窓３２ｘは、一本の指を入れることができる程度の大きさの、周縁の閉じた開口である。この窓３２ｘは、その略全体が、ポケット用部材４２ｘの外側縁４５ｘに設けた内方に凹む切り欠き４７ｘと重なり合っている。シート本体３ｘ側の窓３２ｘと、ポケット用部材４２ｘ側の切り欠き４７ｘとはともに、インデックス５ｘを突出位置（Ｕ）と没入位置（Ｃ）との間でスライドさせるための操作用の切り抜き部分として機能する。これら切り抜き部分３２ｘ、４７ｘはそれぞれ、ポケット４ｘの内部を外部に連通させるものである。よって、シート本体３ｘ側及びポケット用延出片４２側の両方から切り抜き部分３２ｘ、４７ｘに指を差し入れ、二本の指で（例えば、親指と人差し指とで）インデックス５ｘを摘んで、これをスライド移動させることができる。
【００５６】
インデックス５ｘは、両端部をポケット用部材４２ｘの外側縁４５ｘの止着部分４６ｘに当接させ得る幅寸法を有した基部６ｘと、前記止着部分４６ｘ間に形成された開口部４１ｘに対応する幅寸法を有した見出し部７ｘとを具備したものである。このインデックス５ｘは、前記見出し部７ｘが前記開口部４１ｘを通してシート本体３ｘの縁３１ｘよりも外に突出する突出位置（Ｕ）と、前記見出し部７ｘが前記基部６ｘとともにポケット４ｘ内に収容される没入位置（Ｃ）との間でスライドし得る。ちなみに、インデックス５ｘの厚みは、ポケット４ｘを構成するシート本体３ｘ及びポケット用部材４２ｘの厚みよりも大きい。
【００５７】
インデックス５ｘは、凸片９ｘを形成するスリット８ｘを有したものである。この凸片９ｘを、インデックス５ｘの弾性変形を利用して、ポケット４ｘの開口部４１ｘにおける開口縁４８ｘ、つまりはシート本体３ｘの縁３１ｘに係わり合わせることで、インデックス５ｘを前記突出位置（Ｕ）に没入不能に保持することができる。詳述すれば、前記見出し部７ｘは、書き込み可能なシルク印刷を施した見出し部本体７１ｘと、この見出し部本体７１ｘを前記基部６ｘに連続させる接続部分７２ｘとを備えたものである。本実施形態では、その接続部分７２ｘと、インデックス５ｘの基部６ｘとにまたがるように前記スリット８ｘを設けることにより、前記凸片９ｘが形成されている。なお、図９ないし図１２では、見出し部本体７１ｘにパターンを付して示している。スリット８ｘは、基部６ｘ内にあって中央が没入位置（Ｃ）に向かう内方に突出した屈曲部分８１ｘと、この屈曲部分８１ｘの両端から見出し部本体７１ｘと接続部分７２ｘとの境界線まで延びる延出部分８２ｘとからなる。これにより、凸片９ｘは、その先端縁９１ｘを含む部位が基部６ｘに形成される一方、その基端部が見出し部７ｘ（の接続部分７２ｘ）に形成されることとなる。凸片９ｘの先端縁９１ｘの中央部分９２ｘは、第一実施形態と同様、他の部分９３ｘよりも突出した形状をなしている。
【００５８】
このような構成のものであれば、インデックス５ｘを使用しない場合には、図１０に示すように、このインデックス５ｘを没入位置（Ｃ）に移動させ、ポケット４ｘ内に収容しておけばよい。この状態からインデックス５ｘを使用する場合には、図１１、図１２及び図１４に示すように、ポケット４ｘの切り抜き部分３２ｘ、４７ｘを利用してインデックス５ｘを指で突出位置（Ｕ）方向へスライド移動させる。インデックス５ｘを突出位置（Ｕ）に引っ張り出したとき、インデックス５ｘの両端側で、インデックス５ｘの基部６ｘが、ポケット用部材４２ｘの外側縁４５ｘの止着部分４６ｘに当接または近接する。同時に、この基部６ｘの両端縁が、ポケット用部材４２ｘの端縁の止着部分４４ｘに近接する。いわば、基部６ｘの両端部を、止着部分４４ｘと止着部分４６ｘとがなす隅角（入隅）内に収めた様相を呈する。この隅角の箇所では、ポケット４ｘを構成するシート本体３ｘとポケット用部材４２ｘとが基部６ｘを強く挟み付けるので、ポケット４ｘ内でのインデックス５ｘのぐらつきが抑制される。
【００５９】
インデックスを突出位置（Ｕ）に位置づけた段階で、見出し部７ｘにおける見出し部本体７１ｘと接続部分７２ｘとの境界線が、ポケット４ｘの開口部４１ｘにおける開口縁４８ｘとなるシート本体３ｘの縁３１ｘに略一致する。ひいては、スリット８ｘの延出部分８２ｘの外方端、換言すれば凸片９ｘの基端部が、シート本体３ｘの縁３１ｘに略一致する。しかる後、図１４に二点鎖線で示すように、インデックス５ｘ（特に、凸片９ｘ及びその周囲）を厚み方向に弾性変形させて凸片９ｘを切り起こし状態にし、図１２及び図１５に示すように、その凸片９ｘを、ポケット用部材４２ｘの外側縁４５ｘではなく、シート本体３ｘの縁３１ｘに係わり合わせる。それによって、インデックス５ｘは、突出位置（Ｕ）に保持される。
【００６０】
以上に述べたように、本実施形態にかかるインデックス５ｘを有したシート２ｘは、用紙類に添接させるためのシート本体３ｘと、シート本体３ｘの縁３１ｘに開口部４１ｘを位置させて該シート本体３ｘに設けられたポケット４ｘと、このポケット４ｘ内に収容される基部６ｘから見出し部７ｘを外方に延出させてなるインデックス５ｘとを備えてなり、前記インデックス５ｘを、前記見出し部７ｘが前記開口部４１ｘを通してシート本体３ｘの縁３１ｘよりも外に突出する突出位置（Ｕ）と、前記見出し部７ｘが前記基部６ｘとともにポケット４ｘ内に収容される没入位置（Ｃ）との間でスライドし得るように構成したものであって、前記インデックス５ｘが、凸片９ｘを形成するスリット８ｘを有したものであり、前記凸片９ｘをインデックス５ｘの弾性変形を利用して前記ポケット４ｘの開口部４１ｘにおける開口縁４８ｘ（シート本体３ｘの縁３１ｘ）に係わり合わせることによって、このインデックス５ｘを前記突出位置（Ｕ）に没入不能に保持するようにしたものであるので、比較的簡単な構造で、インデックス５ｘを無理なく確実に突出位置（Ｕ）に保持することができる。そして、インデックス５ｘの厚み方向の弾性変形を利用してポケット４ｘの開口縁４８ｘに係脱し得るようにしているので、従来のようなジレンマ、すなわち、前記凹部と開口部の両端との係合状態を緩めに設定すると使用中に係合状態が解除されて前記インデックスが没入してしまいやすくなり、一方、前記係合状態をきつめに設定すると前記開口部の両端が裂けやすくなるというジレンマを解消することができる。特に、本実施形態では、インデックス５ｘをポリプロピレン製のシート状のものとしているので、厚み方向に弾性変形しやすく、繰り返しの使用にも耐え得る。
【００６１】
前記ポケット４ｘが、前記インデックス５ｘを前記突出位置（Ｕ）へと引っ張り出した際にその基部６ｘが当接または近接してそれ以上のインデックス５ｘのスライド移動を阻む構造４６ｘを備えており、前記凸片９ｘを前記ポケット４ｘの開口部４１ｘにおける開口縁４８ｘに係わり合わせた状態で、前記インデックス５ｘの基部６ｘが前記構造４６ｘに当接または近接しているものとしているため、インデックス５ｘの突出位置（Ｕ）への保定をより確実ならしめることができる。すなわち、凸片９ｘをポケット４ｘの開口縁４８ｘに係わり合わせた状態で、インデックス５ｘが突出位置（Ｕ）からさらに外方に変位すると凸片９ｘが開口縁４８ｘから脱離するところ、突出位置（Ｕ）にあるインデックス５ｘはそれ以上外方に変位し難いため、インデックス５ｘに外力が作用したとしても凸片９ｘが開口縁４８ｘから離脱するおそれが低減し、突出位置（Ｕ）に引き出したインデックス５ｘの不意の没入をより確実に抑止することが可能となる。
【００６２】
前記ポケット４ｘが、前記シート本体３ｘとは別体のポケット用部材４２ｘをシート本体３ｘに止着してなるものであり、前記インデックス５ｘのスライド移動方向に対して略平行に拡がる止着部分４４ｘと、その止着部分４４ｘに対して交差する方向に拡がる止着部分４６ｘとを有し、後者の止着部分４６ｘが、前記インデックス５ｘを前記突出位置（Ｕ）へと引っ張り出した際にその基部６ｘが当接または近接してそれ以上のインデックス５ｘのスライド移動を阻む構造として機能するものとしているため、突出位置（Ｕ）に引き出したインデックス５ｘの基部６ｘとポケット４ｘの内面との摩擦、すなわち、ポケット４ｘを構成するシート本体３ｘとポケット用部材４２ｘとによる基部６ｘの挟圧を強めることができ、凸片９ｘによる係止によらずとも突出位置（Ｕ）にあるインデックス５ｘのがたつきを抑制することが可能である。その上で、凸片９ｘをポケット４ｘの開口縁４８ｘに係わり合わせれば、インデックス５ｘを突出位置（Ｕ）に強固に保定することができる。
【００６３】
前記ポケット４ｘの開口縁４８ｘとなる前記ポケット用部材４２ｘの縁すなわち外側縁４５ｘと、前記シート本体３ｘの縁３１ｘとのうち、前記インデックス５ｘの凸片９ｘが係わり合わないポケット用部材４２ｘの外側縁４５ｘを、内方に凹むように切り欠いてあるため、その切り欠き４７ｘからインデックス５ｘの表面が大きく露出することとなり、指でインデックス５ｘに直接触れてこれを突出位置（Ｕ）に向けて引っ張り出したり、あるいは逆に没入位置（Ｃ）に向けて押し込んだりする操作が容易となる。
【００６４】
前記ポケット用部材４２ｘと、これに添うシート本体３ｘの部位との双方に、少なくとも一部が重なり合い前記ポケット４ｘの内部を外部に連通させる、前記インデックス５ｘを突出位置（Ｕ）と没入位置（Ｃ）との間でスライドさせるための操作用の切り抜き部分４７ｘ、３２ｘを設けているため、シート本体３ｘ側及びポケット用部材４２ｘ側の両方から切り抜き部分３２ｘ、４７ｘに指を差し入れ、二本の指でインデックス５ｘを摘んでスライド移動させる操作を行い得るようになる。特に、前記窓３２ｘは、インデックス５ｘのスライド方向に長尺な楕円形状をなしているので、この窓３２ｘ内に指等を入れて左右方向に操作しやすい。また、突出位置（Ｕ）から完全な没入位置（Ｃ）方向へ動かしたい場合にも、この窓３２ｘを利用してインデックス５ｘに直接触れながら、没入位置（Ｃ）方向へと移動させることができる。なお、インデックス５ｘは、没入位置（Ｃ）において、ポケット４ｘの一方の開口縁となるポケット用部材４２ｘの外側縁４５ｘよりは外側に突出するものの、もう一方の開口縁４８ｘとなるシート本体３ｘの縁３１ｘよりは内側に収容される。したがって、インデックス５ｘを使用しない没入位置（Ｃ）に設定した場合には、インデックス５ｘを有しない通常のクリアホルダ１と同様に使用することができる。
【００６５】
前記凸片９ｘの先端縁９１ｘは、中央部分９２ｘが他の部分９３ｘよりも突出した形状をなしているので、直線状をなす前記ポケット４ｘの開口縁４８ｘに容易に係り合わせることができる。特に、この凸片９ｘを形成するスリット８ｘの両端が、見出し部本体７１ｘと接続部分７２ｘとの境界線まで延びているので、スリット８ｘの両端とポケット４ｘの開口縁４８ｘとが一致するようにこれらを係わり合わせることによって、見出し部本体７１ｘだけをシート本体３ｘの外部に表出させることができる。なお、この見出し部本体７１ｘにシール等を貼れば、前記スリット８ｘの両端から裂けてスリット８ｘが大きくなってしまうという不具合を抑制することができる。
【００６６】
本実施形態のクリアホルダ１は、透明な表紙１１、１２間に用紙類を収容するためのものであって、第二の表紙１２を前記インデックス５ｘを有したシート２ｘにより構成しているので、クリアホルダ１内に挟まれた用紙類についてインデックス５ｘを付けることができる。特に、本実施形態では、ポケット４ｘがクリアホルダ１の側縁上方に設けられているので、インデックス５ｘが見やすく、また、スライド操作しやすいものとなっている。
【００６７】
なお、本発明は以上に述べた実施形態に限られない。
【００６８】
ポケット用部材をシート本体に止着する方法は、溶着には限られず、溶着以外の手段（例えば、接着剤を使用した接着等）を用いてもよいことは言うまでもない。
【００６９】
シート本体に対するポケットの位置は、上述したものに限られず、図８に示したようなものであってもよい。
【００７０】
さらに、ポケットやインデックスの数及び形状は、上述したものには限られない。例えば、一枚のシートが、複数の開口部を有する単一のポケットと、各開口部に突没可能な単一または複数のインデックスとを備えたものや、一枚のシートが、開口部を有する複数のポケットと、これらの各ポケットに対応する複数のインデックスを備えたもの等が考えられる。シートが、複数の開口部を有する一つのポケットと、各開口部に突没可能な一のインデックスとを備えたものである場合の具体的な一例としては、前記ポケットが、インデックスをシート本体の縁に沿った方向に移動可能に構成されたものであり、前記インデックスを上下方向にスライド移動させて前記複数の開口部のうち一の開口部を選択するとともに、該インデックスを左右方向にスライド移動させてシート本体の縁から突没させればよい。このようなものであれば、突出位置に保持させるインデックスを任意に選択することができる。
【００７１】
さらに、本実施形態では、シートを備えた一例としてクリアホルダについて説明したが、これに限られず、ファイルに綴じられた用紙類を区分するための仕切り板や、用紙類を保持するための個別フォルダの表紙やハンギングフォルダの表紙等であってもよい。
【００７２】
また、ポケット用部材の縁の切り欠きの大きさや形状、並びに、シート本体（のポケット用部材に添う部位）の窓の大きさ、形状及び数は、図示したものに限られず種々変更可能である。
【００７３】
上述した実施形態とは逆に、ポケットの開口部の一方の開口縁となるポケット用部材の外側縁を直線状とし、もう一方の開口縁となるシート本体の縁を内方に凹むように切り欠いてもよい。この場合、突出位置に引き出したインデックスの凸片は、シート本体の縁ではなく、ポケット用部材の外側縁に係わり合わせる。また、ポケット用部材に、シート本体の縁に形成した切り欠きと重なり合うような窓を開設し、それら切り欠き及び窓をインデックスをスライドさせるための操作用の切り抜き部分とする。
【００７４】
スリット及びこのスリットにより形成される凸片の大きさ、形状及び数についても、図示したものに限られず種々変更可能である。例えば、前記スリットの屈曲部分がＶ字状をなしているものの代わりに、Ｕ字状をなしているものや、Ｗ字状をなしているもの等であってもよい。また、スリットが直線部分と、この直線部分の両端からそれぞれ延出する延出部分とからなる平面視コ字状をなしているもの等であってもよい。
【００７５】
特に、上述した実施形態では、スリット８ｘの延出部分８２ｘがインデックス５ｘのスライド方向と略平行に伸びていたが、図１６に示すように、スリット８ｘの延出部分８２ｘを、インデックス５ｘのスライド方向に対して傾斜させてもよい。インデックス５ｘの幅方向に対向する一対の延出部分８２ｘを、没入位置（Ｃ）に向かうにつれて互いに相寄るような傾斜辺とすることで、凸片９ｘをインデックス５ｘから切り起こしてポケット４ｘの開口縁４８ｘに係わり合わせる操作がより行いやすくなる。
【００７６】
その他、本発明の趣旨を損ねない範囲で種々に変更してよい。
【符号の説明】
【００７７】
１…クリアホルダ
１２…表紙
２、２ｘ…シート
３、３ｘ…シート本体
３１、３１ｘ…縁
３２ｘ…切り抜き部分（窓）
４、４ｘ…ポケット
４１、４１ｘ…開口部
４２…ポケット用延出片
４２ｘ…ポケット用部材
４３…折曲線部
４４…開口縁
４４ｘ…止着部分
４５…周縁
４６…窓
４６ｘ…止着部分
４７…連続部分
４７ｘ…切り抜き部分（切り欠き）
４８…切り離し部分
５、５ｘ…インデックス
（Ｕ）…突出位置
（Ｃ）…没入位置
６、６ｘ…基部
７、７ｘ…見出し部
８、８ｘ…スリット
９、９ｘ…凸片
９１、９１ｘ…先端縁
９２、９２ｘ…中央部分
９３、９３ｘ…他の部分
【図１】
0005963592.tif 000002
【図２】
0005963592.tif 000003
【図３】
0005963592.tif 000004
【図４】
0005963592.tif 000005
【図５】
0005963592.tif 000006
【図６】
0005963592.tif 000007
【図７】
0005963592.tif 000008
【図８】
0005963592.tif 000009
【図９】
0005963592.tif 000010
【図１０】
0005963592.tif 000011
【図１１】
0005963592.tif 000012
【図１２】
0005963592.tif 000013
【図１３】
0005963592.tif 000014
【図１４】
0005963592.tif 000015
【図１５】
0005963592.tif 000016
【図１６】
0005963592.tif 000017